(57)【特許請求の範囲】
【請求項１】
文書形成装置は、
基板を貯蔵して基板を印刷エンジンに分配する基板フィーダと、
前記文書形成装置の操作を制御し、前記基板フィーダの操作情報を記憶する少なくとも１つのデータベースを含むコントローラと、
前記文書形成装置の操作を制御するユーザインターフェースとを含み、前記ユーザインターフェースは、ストックライブラリビューと、手動モード操作子および自動モード操作子を備えたエキスパートフィーダコントロールセクションを有するストック設定ダイアログスクリーンと、手動モード操作子を起動したときに現われる手動モード操作用のコントロールパネルスクリーンとを含み、
前記コントロールパネルスクリーンは、
前記基板フィーダの構成要素の操作パラメータの内容を調整して設定する手段であって、自動モードにおいては、前記コントローラによって自動的に設定される操作パラメータの内容を、手動モードにおいては、手動操作によって任意に設定できる手段と、
手動モードまたは自動モードであることを表示するインジケータと、
手動モードによって設定された操作パラメータの内容を保存する保存設定操作子と、
を有することを特徴とする文書形成装置。
【請求項２】
基板フィーダと、ユーザインターフェースと、コントローラとを有する文書形成装置において、前記装置の操作方法は、
前記装置のユーザが前記ユーザインターフェースのストック設定ダイアログスクリーン上で前記フィーダの手動モード操作を選択した信号を、前記コントローラで受信するステップと、
前記信号に応答して、前記基板フィーダの構成要素の操作パラメータの内容を調整して設定するために、自動モードにおいては、前記コントローラによって自動的に設定される操作パラメータの内容を、手動操作によって任意に設定できるコントロールパネルスクリーンをユーザに提供するステップと、
前記任意に設定された前記基板フィーダの構成要素の操作パラメータの内容を前記コントローラで受信するステップと、
前記コントロールパネル上でユーザが保存設定操作子を起動すると、前記任意に設定された前記基板フィーダの構成要素の操作パラメータの内容を前記コントローラの少なくとも１つのデータベースに記憶するステップとを含む方法。
【請求項３】
請求項２に記載の方法において、前記コントローラは、前記任意に設定された前記基板フィーダの構成要素の操作パラメータの内容を記憶するメディアライブラリデータベースと、フィーダの能力および能力制約について記憶するフィーダの能力および制約データベースとを含む方法。
【発明の詳細な説明】
【技術分野】
【０００１】
本発明は、一般には電子写真印刷システムに関する。特に、一般的な複写および印刷工程を伴うコピーシートの給紙を改善するシートフィーダ制御システムおよび方法に関するもので、これに関して以下に説明を行う。ただし本発明は同様の他の応用にも適用可能である。
【背景技術】
【０００２】
電子写真複写工程では、複写または印刷する原稿の光像が、一般的には静電潜像として感光部材上に記録され、その後、一般にトナーと呼ばれる検電器的なマーキング粒子が潜像に付与され可視状態となる。可視状態のトナー像は、感光部材上に直接定着されるか、または感光部材から普通紙等の他の支持媒体または基板へ転写される。このトナー像を恒久化するには、一般に熱と圧力を加えて、像を用紙に「定着」または「融着」させなければならない。
【０００３】
【特許文献１】米国特許出願公開第２００３／００３８９６０号公報
【発明の開示】
【発明が解決しようとする課題】
【０００４】
コピー機またはプリンタが１時間に３，０００枚超の速度で複写可能な高速電子写真複写機の出現にともない、複写機のフル能力を利用するため、シート処理システムは、紙または他の媒体を迅速に連続して確実かつ信頼性をもって各工程ステーションに給紙しなければならない。シート処理システムは、記録シートを損傷する危険性を事実上除去し、かつ誤給紙または多重給紙による機械の停止を最小限に抑えるように完璧に動作すべきである。
【０００５】
高速電子写真複写機は、基板を機械の画像転写部分に給紙するフィーダアセンブリを一般的に含む。フィーダアセンブリは、真空波形（なみがた）フィーダ技術、摩擦遅延フィーダ技術、またはシャットルフィーダ技術を利用できる。フィーダは操作パラメータの固定されたセットを一般的に有している。これらの設定は、大半の種類の基板を供給するための最適な妥協値にでき、そして、その結果、基板供給能力はこれらのパラメータが許容する範囲内に一般的に限定される。このアプローチは汎用コピー／印刷のニーズを満たすものだが、拡張された範囲が必要な生産環境において供給できる基板の範囲を限定する。さらに、生産環境のユーザまたはオペレータの多くは一般にオフセットリソグラフィ環境から来ており、そして彼らは、機械が扱っている基板について機械を「チューニング」することに慣れている。オフセットリソグラフィは、印刷の働き者である。商業用のほぼすべてのプリンタがこれを利用している。そして最終製品の品質はしばしば、プリンタから与えられる指示、技術、および装置による。
【０００６】
従って、高速電子写真装置のユーザに、機械で使用可能な基板の範囲を拡張（超軽量から重量のものまで）するために、フィーダの操作パラメータの一部を調整する能力を提供するフィーダ制御システムおよびその方法の要求がある。
【課題を解決するための手段】
【０００７】
本発明の一つの態様に従えば、基板を貯蔵して印刷エンジンへ分配する基板フィーダと、文書形成装置の操作を制御するコントローラと、文書形成装置の操作を制御するユーザインターフェースとを含む文書形成装置が提供され、コントローラは、基板フィーダの操作情報を記憶する少なくとも１つのデータベースを含む。ユーザインターフェースは、ストックライブラリビューと、手動モード操作子と自動モード操作子とを有するエキスパートフィーダコントロールセクションを備えたストック設定ダイアログスクリーンと、手動モード操作子を起動したときに現われる手動モード操作用のコントロールパネルスクリーンとを含む。コントロールパネルスクリーンは、基板フィーダの構成要素の操作パラメータの内容を調整して設定する手段であって、自動モードにおいては、前記コントローラによって自動的に設定される操作パラメータの内容を、手動モードにおいては、手動操作によって任意に設定できる手段と、手動モードまたは自動モードであることを表示するインジケータと、手動モードによって設定された操作パラメータの内容を保存する保存設定操作子とを備える。
【０００８】
本発明の他の態様に従えば、基板フィーダとユーザインターフェースとコントローラとを有する文書形成装置の操作方法が提供される。この方法は、装置のユーザがユーザインターフェースのストック設定ダイアログスクリーン上で手動モード操作子を起動した信号をコントローラで受信するステップと、この信号に応答して、基板フィーダの構成要素の操作パラメータの内容を調整して設定するために、自動モードにおいては、前記コントローラによって自動的に設定される操作パラメータの内容を、手動操作によって任意に設定できるコントロールパネルスクリーンをユーザに提供するステップと、任意に設定された前記基板フィーダの構成要素の操作パラメータの内容をコントローラで受信するステップと、コントロールパネル上でユーザが保存設定操作子を起動すると、任意に設定された基板フィーダの構成要素の操作パラメータの内容をコントローラの少なくとも１つのデータベースに記憶するステップと、を含む。
【発明の効果】
【０００９】
本発明に係る文書形成装置およびその操作方法によれば、使用可能な基板の範囲を拡張するために、フィーダの操作パラメータの一部を調整できる。
【発明を実施するための最良の形態】
【００１０】
図１は、本発明の例示的な実施形態が組み込まれた、文書作成用の基本的な文書形成装置１０の立面図である。以下、図面に示す１つの実施形態を参照して本発明の例示的な実施形態を説明するが、この例示的実施形態は、他の多数の代替的な形式の実施形態でも具体化できる。加えて、各要素もしくは材料には任意の適当なサイズ、形状、または種類のものを使用できる。図示するタイプの複写または印刷システムは、好適には、両面もしくは片面原稿、またはコンピュータから出力された印刷用の文書ファイルから結果される、丁合いがとられた両面もしくは片面の文書または印刷物のセットから、両面もしくは片面のスタックした文書セットを提供するのに適合される。図示する実施形態では、文書形成装置１０はコピー機である。しかし代替的実施形態では、装置はプリンタまたはその他の適当な種類の文書作成装置でもよい。
【００１１】
本実施形態では、文書形成装置１０は、画像信号を用いて希望の画像を作成するハードウェアを備える印刷エンジン１２と、画像がその上に印刷される基板（すなわちシート）を貯蔵および分配する基板フィーダモジュール１４と、印刷エンジン１２から出力される印刷物のスタック、折畳み、ステープル止め、結束等を行うハードウェアを備えうる仕上げ装置モジュール（フィニッシャ）１６とを含む。図中、基板フィーダモジュール１４は別個のモジュールとして示されるが、当該技術分野で公知のように印刷エンジン１２または文書形成装置１０の他箇所に配置されることもできる。文書形成装置１０がコピー機としても操作可能な場合は、文書形成装置１０は文書フィーダ１８をさらに含み、これは原稿のハードコピー画像から反射した光の信号をディジタル信号に変換する操作を行い、この信号は印刷エンジン１２でコピーを作成するために順番に処理される。文書形成装置１０は装置の操作を制御するローカルなユーザインターフェース２０を含むこともできるが、画像データおよび命令の他のソースに、ネットワークを介してプリンタが接続される任意の数のコンピュータを含めることもできる。ユーザインターフェース２０は選択を行うタッチスクリーンを備えてもよいし、またはキーボードとマウスによって操作されてもよい。
【００１２】
基板フィーダモジュール１４は任意の数のフィーダアセンブリ３０を含み、各アセンブリは、所定のタイプ（サイズ、重さ、色、コーティング、透明性等）の印刷シート群（「ストック」と称する）をトレイ中に貯蔵し、命令に応じてトレイ中のシートを一枚ずつ分配するフィーダを含む。フィーダは、シャットルフィーダ、空気圧を利用してシートを給紙する真空波形フィーダ、またはその他の公知のタイプのフィーダから構成できる。このようなフィーダは当該技術分野で一般に公知のものであり、各種参考文献、例えば米国特許第６，３５２，２５５号明細書、第６，２６４，１８８号明細書、および第５，３５６，１２７号明細書等に記載されている。ある種のストックは、正しく分配するために特別な取り扱いを必要とする。例えば、重量のあるストックまたは大型のストックは、エアーナイフ、フラッファ（ｆｌｕｆｆｅｒ：ふわりとさせるもの）、真空グリップ、またはスタック中の一番上の一枚または複数枚のシートに空気圧をかける他の手段（図示せず）を利用して、スタックから希望通りに引き出すことができる。コーティングされたある種のストックは、熱気流（図示せず）またはその他の手段等によって熱を加えてスタックから引き出すのが有利である。選択したフィーダアセンブリ３０から引き出されたシートは、その後、印刷エンジン１２へ送られて１つまたは複数の画像を受けとる。
【００１３】
本実施形態では、印刷エンジン１２はモノクロ電子写真用のものであるが、他種類のエンジン、例えばカラー電子写真、イオノグラフィー、またはインクジェット用のエンジンを使用してもよい。図１では、印刷エンジン１２は、ここでは回転可能なベルトとして構成されるホトレセプタ４０を含む。ホトレセプタ４０は、印刷する１つ以上の画像を一時的に保持しておけるドラムまたはベルト等の任意の回転可能な構造を意味する「回転可能な画像レセプタ」と呼称できる部材の一例である。このような画像レセプタは、例えば、カラー電子写真、オフセット、またはインクジェットの印刷装置等におけるホトレセプタ、または一層以上のインクまたはトナー層を保持して、その後シートに転写を行う中間部材から構成できるが、これらに限定するものではない。ホトレセプタ４０は多数のローラ上に乗せられ、電子写真分野で周知の多数のステーション、例えば帯電ステーション４２、画像化ステーション４４、現像ステーション４６、および転写ステーション４８等がホトレセプタ４０の周囲に適当に配置される。本実施形態では、画像化ステーション４４は、回転しているホトレセプタ４０の進行方向に垂直に方向付けられた連続した走査ラインを細いレーザビームが走査する「レーザ印刷」分野で周知の設計の、レーザベースのラスタ出力スキャナとして構成される。レーザは、移動中のホトレセプタ４０上の小さなエリアを画像データに従って選択的に放電するようにオン／オフされて静電潜像を作成し、潜像は現像ステーション４６でトナーによって現像され、転写ステーション４８でシートに転写される。
【００１４】
こうして画像を受けとったシートは、その後、当該技術分野で公知の一般的な設計のフューザ５０を通って移動されて、フューザからの熱と圧力はトナー画像をシート上に実質的に恒久化させる。両面印刷では、印刷したシートは反転されて転写ステーション４８を再度通って送られ、裏面の画像を受けとることができる。印刷が完了したシートは、その後、仕上げ装置モジュール１６へ送られ、当該技術分野で公知の方法で、他のシートと丁合い、ホッチキス止め、折畳み等を施すことができる。
【００１５】
また、機械の中に、フィーダアセンブリ３０中のスタックからシートを給紙する各種のモータも存在し、それらは直流、交流又はサーボモータで、希望の出力速度に応じ、所定の速度で操作を簡単に制御でき、これは、もちろんホトレセプタ４０の回転速度に実際直接影響する。
【００１６】
基板フィーダモジュール１４は、機械のソフトウェアによって可変及び制御できるいくつかのパラメータとともに、設計段階中に「固定」される多数の制御パラメータを有する。可変の制御パラメータには、フラッファ空気圧、真空レベル、エアー供給ヒータのオン／オフ状態、スタック高さ、およびタイミングが含まれる。通常、これら変数は、製品開発時にテストにより決定されるあるプリセット値に、印刷エンジン１２によって設定され、そして以下に詳述する。
【００１７】
図２は、本発明の例示的実施形態を組み入れる基本的なフィーダアセンブリ３０の概略を示す側面立面図である。フィーダアセンブリ３０の基本の構成要素には、シート支持トレイ５４中のシートのスタック５２と、複合トレイエレベータ５６，５８と、スタック高さセンサ６０と、テイクアウェイローラ６２と、少なくとも１つのシートフラッファ（またはブロワー）６４と、真空のフィードヘッド６６とが含まれる。フィードヘッド６６は、捕捉表面６８を備える。フラッファ６４は、スタック５２中の一番上の用紙にエアーを吹き付ける。これによりスタック５２からシートを分離させて、フィードヘッド６６によってより容易に捕捉できるようにする。フラッファ６４の空気圧は、一般的には所定値に制御される。シート支持トレイ５４用のブロワーモータ７０の速度は、ブラシレス直流ブロワーモータの入力電圧レベルにプリセットされ、一方空気流はステッパに制御された絞りバルブ（図示せず）によってそれぞれ異なるレベルに調整される。これらのレベルは、軽量から重量まで用紙の要件に必要なレベルに対応する。
【００１８】
基板フィーダモジュール１４は、フラッファの空気を事前に加熱してシートの分離を助けるヒータ（図示せず）を含む。ヒータは一般にはオン／オフが可能であり、これによりエアーがヒータ中を移動していない時にのみ「オン」になることが許される。
【００１９】
基板フィーダモジュール１４は、好適にはシャットルフィーダ技術を利用し、これは単純なものではスタックからシートをテイクアウェイローラ６２へ物理的に移動させる真空波形フィーダを用いるだけである。真空フィードレベルは重要な給紙制御パラメータである。例えば、真空は個々のブラシレス直流ブロワーから各フィードヘッド６６へ供給される。一般的には、ステッパモータで制御された真空バルブが、フラッファ６４とフィードヘッド６６との間の真空ダクト中にあり、これはフィードヘッド６６で利用できる空気量を絞る、または抑制する。これは一般には機械的に制御され、実質的に連続的に調整可能である。真空フィードレベルは真空バルブによって制御されることができる。
【００２０】
基板の給紙には、２段階のアプローチ：自動（オート）モードと手動モードとが可能である。上述したように、フィーダは、製品開発時のテストによって決定される制御パラメータのプリセット値に自動的に制御される。これは操作のデフォルトモードであり、ユーザインターフェース２０上に表示され、かつ通常の顧客ニーズを満足させうるものである。一方、手動モードは、ユーザが、フラッファの空気圧、フィーダの真空レベル、ヒータのオン／オフ、スタックの高さ、タイミング、およびその他の制御パラメータを手動で調整することを可能にする。ユーザインターフェース２０上で手動モードを選択すると、ユーザは、処理中の特定の用紙の給紙性能を最適化させるために、これらのパラメータに対する追加値を設定することが可能になる。
【００２１】
「オート」モードに関し、図３に示すように、ここでは、ユーザインターフェース２０を経由して文書形成装置１０の基板フィーダモジュール１４を制御するコントローラ７２が示されている。コントローラ７２は、メディアライブラリデータベース７４（場合によっては用紙／媒体または基板カタログ、同様にストックライブラリと呼ばれる）を含み、これはストック（用紙）の属性を記憶する多数のメモリレジスタ７６と、フィーダの能力および制約データベース７８を備える。ただし、これら２つのデータベース７４，７８を１つのデータベースに組み合わせてもよい。属性は一般にユーザによって入力され、製品（フィーダ）の性能が自動的に最良の性能に設定されることができる。一般のオペレータまたはユーザに対する典型的なストックライブラリビュー８０を図４に示す。図示するように各タイプのストックのサイズ、色、タイプ、および重さを規定できるが、これ以外のストック特性も利用できる。
【００２２】
ストックライブラリ中の任意のストックについて、例えば呼び寸法「８．５ｘ１１インチ」の無地の白い紙について、特にサイズ（幅および高さ）、色、タイプ、係数（モジュラス）、粒子、重さ、コーティング、および仕上げ等の多様なパラメータが、印刷に利用できるストックをより正確に記述するために、指定されることができる。典型的なストック設定ダイアログスクリーン８２を図５に示す。ユーザは、使用したい特定のストックの全属性を入力することができる。これらの用紙属性は、ストックライブラリの中の各用紙に関連付けてメモリレジスタ７６に記憶される。
【００２３】
フィーダ（トレイ）プログラミングは、フィーダモジュールまたは用紙トレイの用紙媒体属性のプログラミングを行う。フィーダの能力および制約は、コントローラ７２のフィーダの能力および制約データベース７８中に記憶される。
【００２４】
一旦メディアライブラリが設けられると、次にユーザは、メディアライブラリから用紙をプリンタ中の特定の用紙トレイに割当て、または単純に、機械がどのトレイにストックが入っているかを判定してそのトレイから自動的に給紙を行うことを要求できる。これはユーザインターフェース２０を通じて行われる。
【００２５】
基本的なシート給紙工程は当該技術分野で公知であり、例えば米国特許出願公開第２００２／０１４０１５７号に記載されている。図２を参照して、シート給紙サイクルを開始するには、基板重さの入力に応じて、複合トレイエレベータ５６，５８が一般的にはスタック５２の上面をフィードヘッド６６の底部に対し所定の隙間以内に（すなわち「スタックの高さ」に）持ち上げる。用紙が重い場合は、質量が増えた分だけ軽量シートよりもフラッファ６４による浮揚が少ないので、スタックの高さは一般的にはフィードヘッド６６により近くに持ってこられる。
【００２６】
一旦スタックが正しい位置に設置されると、ブロワーが起動され、スタック５２の側部へ吹き付けられる加熱エアーと空気圧との組み合わせを使用して、スタック中の一番上のシートを分離する。フラッファはスタック側部の三方に置くことができる。フラッファノズルからの強制エアーがシート間の空気ベアリングとして作用し、シート間の摩擦係数を下げ、多重給紙の可能性を低減する。特別のスタック高さ設定、シートサイズおよび重さのシート分離の微調整のために、フラッファ圧を増減させることができる。小型軽量の用紙の場合は、フラッファ圧は公称値よりも抑制される。大型重量のシートの場合は、フラッファ圧は公称値より増加される。
【００２７】
フラッファダクト（図示せず）内側のダクトの耐高温部分には、加熱要素が設置される。空気はモジュール内部の温度よりも高い温度に加熱される。すべてのコーティング用紙タイプの処理については、相対湿度には関係なくシートの分離を助けるため、ヒータはオンにされる。
【００２８】
この予備的シート分離の後、フィードヘッド６６に真空圧がかけられ、１枚以上のシートがフィードヘッド６６の下面まで引き寄せられる。フィードヘッド６６の捕捉表面６８（すなわち下面）上の輪郭は、典型的には波形パターンが作りこまれ、それは一番上のシートを曲げて、２番目のシートのために二重になることが困難なように作用する。波形パターンがシート間に分離領域を誘発した後、もし複数のシートがフィードヘッド６６に引き寄せられていれば、シート分離段階が開始される。
【００２９】
フラッファ６４およびフィードヘッド波形パターンは、初期のシート分離を遂行する。もしこれら両方法とも失敗し、そして複数のシートがフィードヘッドにまだ捕捉されるならば、エアーナイフおよびファング（ｆａｎｇ：牙）（図示せず）を、シートを分離し、残っているふわりとしたシートを保持するために、使用することができる。エアーナイフはフィードヘッド前面のバッフル（そらせ板）に空気を打ち当てる。バッフルは、波形パターンによって生じたエアーギャップ中にその圧力を反射させ、真空力の漏れを破り、また残っているふわりとしたシートの前縁の上に落としてスタックに保持する。この反射により用紙ストップ近傍で局所的な高圧領域が形成されて、残りのシートの給紙を防止する。各フィーダアセンブリ３０は、可変できるエアーナイフ圧の設定を有する。小型軽量のシートではエアーナイフ圧は公称値よりも抑制される。大型重量シートではエアーナイフ圧は公称値より増加される。
【００３０】
給紙工程を開始するために真空がオンになってから約１１５ミリ秒後、シートの前縁８４はスタックの上方を１６ｍｍ前方へ、テイクアウェイローラ６２間の隙間（ニップ）を過ぎて５ｍｍの地点まで水平に移動しなければならない。フィードヘッド６６は１５２ミリ秒内に前進及び後退をしなければならない。フィードヘッドの真空は、シートの前縁８４がテイクアウェイローラ６２に達するとオフにされる。エアーナイフもシートの前縁８４上に残留圧をかける。テイクアウェイローラ６２は、このフィードヘッドの残留真空を制してシートを進めなければならない。エアーナイフの残留圧は、移送中にシートの前縁８４を下げて用紙ストップでの紙詰まりや誤給紙を生じさせないように十分低くなければならない。
【００３１】
フィーダアセンブリ３０は、進行方向に沿ってシートの長さに応じて異なる供給速度または供給サイクル時間をもつ。これを以下の表１に示す。
【表１】
0004805583.tif 000002
【００３２】
一枚の紙が給紙されると、フィーダはサイクルアップシーケンス、フィードシーケンス、およびサイクルダウンシーケンスを行う。給紙中は、もし紙詰まりが発生すれば検知するために用紙経路中の用紙位置がモニタされる。ユーザが用紙カタログ（ストックライブラリ）から用紙特性の組または特定の用紙を選択すると、用紙カタログのメモリレジスタ中の属性が、機械制御ソフトウェアによって読み出され、これを用いてフィーダの各構成要素の操作設定点がセットされる。設定点はフィーダコントロールボードに送られ、コントロールボードはフィーダの各要素を順次制御する。これは、操作パラメータの設定を、文書形成装置１０の操作の一般的なモードであるオートモードにすることを結果する。
【００３３】
図６はフィーダ制御のオートモードを示すフローチャートである。入力には、用紙カタログ属性９０、相対湿度９２、および温度９４が含まれる。これらの入力が機械制御のソフトウェア９６に送信され処理される。その後、出力がフィーダ制御ソフトウェア９８に、フラッファパラメータ、ヒータパラメータ、フィードヘッド真空パラメータ、スタック高さパラメータ、タイミングパラメータ、およびその他のパラメータを含むフィーダパラメータ１００を決定するために送られる。これらのフィーダパラメータ１００はフィーダコントロールボード１０２に送信され、これにより上述したフラッファ１０４の圧力、ヒータ１０６の状態、真空１０８のレベル、スタック１１０の高さ、タイミング１１２、およびその他１１４の要素を含む給紙要素が自動的に調整される。
【００３４】
文書形成装置１０は、事前に定めた一組の制御ファクタまたは設定を用いて、最も広範なストックを供給できるように一般的に最適化される。だが知識力のあるユーザは、多様な種類のストックをフィードするために、システムを微調整することを望む場合がある。かくて、標準的なストック設定ダイアログスクリーンは、「手動」モードを含んでもよい。図７を参照して、修正されたストック設定ダイアログスクリーン１２０は、「エキスパートフィーダコントロール」セクション１２２を含み、これは「オート」モード操作子１２６に加えて、選択をなすための「手動」（すなわち「エキスパート」）モード操作子１２４を含む。これらの操作子１２４，１２６は、マウスおよび／またはキーボード、ならびにタッチスクリーンによって起動できる。
【００３５】
手動モード操作子１２４が起動されると、図８に示すコントロールパネル１３０のポップアップが現れ、ユーザが既存のフィーダパラメータを修正できるようになる。コントロールパネル１３０は、ストック設定ダイアログスクリーン１２０の一部でもよいし、または別スクリーンでもよい。コントロールパネル１３０は、パネルが最初に開かれたときには各パラメータのオートレベルを表示している。ユーザは、流れている特別のストックのためにフィーダ性能を微調整するために、表示された各パラメータ−真空レベル１３２、フラッフ圧１３４、ヒータ１３６、およびスタック高さ１３８等−を調整する選択肢を有する。調整処理の間は、「手動」インジケータ１４０がハイライトされ、「オート」インジケータ１４２はハイライトされない。一旦、一組のパラメータが決定されると、ユーザは「保存」操作子を押してこれらの設定を保存できる。これが完了すると、コントロールパネル１３０が閉じ、ストック設定ダイアログスクリーン１２０上で手動モード操作子１２４がハイライトのままとどまって、特別な設定が行われたことを示す。
【００３６】
フィーダ設定が手動で行われ保存されると、これらの設定はメディアライブラリデータベース７４とフィーダの能力および制約データベース７８とに追加され、このタイプのストックが再び処理される場合はいつでも、フィーダパラメータを修正するために、これらが呼び出されコントローラ７２に送られることができる。かくて、それらが一旦決定されると設定を保存できるので、ユーザは時間を節約でき、同じストックを再度使用する場合は迅速にその設定に戻ることができる。さらに、手動モードはユーザが利用できる媒体の範囲を拡大する。
【００３７】
本実施形態は、ストックに影響される機械操作の他の態様の制御、例えば、きめの粗いストック用にフューザ温度を上昇させ、片面がコーティングされたストック用に反り防止設定を変更する等にも使用できる。本実施形態は、文書形成装置１０における多数の異なる用途に対する調整にも使用できる。
【図面の簡単な説明】
【００３８】
【図１】本発明に係る実施の形態における文書作成装置の基本要素を示す立面図である。
【図２】本発明に係る実施の形態におけるフィーダアセンブリの側面図である。
【図３】本発明に係る実施の形態におけるコントローラのブロック図である。
【図４】本発明に係る実施の形態における基本的なストックライブラリビューを示す図である。
【図５】本発明に係る実施の形態における基本的なストック設定ダイアログスクリーンを示す図である。
【図６】本発明に係る実施の形態における自動モードのフィーダ制御工程のフローチャートである。
【図７】本発明に係る実施の形態におけるストック設定ダイアログスクリーンを示す図である。
【図８】本発明に係る実施の形態における手動フィーダ制御のポップアップスクリーンを示す図である。
【符号の説明】
【００３９】
１０  文書形成装置、１２  印刷エンジン、１４  基板フィーダモジュール、１６  仕上げ装置モジュール、１８  文書フィーダ、２０  ユーザインターフェース、３０  フィーダアセンブリ、５２、１１０  スタック、５４  シート支持トレイ、５６，５８  複合トレイエレベータ、６０  スタック高さセンサ、６２  テイクアウェイローラ、６４  フラッファ、６６  フィードヘッド、６８  捕捉表面、７０  ブロワーモータ、７２  コントローラ、７４  メディアライブラリデータベース、７６  メモリレジスタ、７８  フィーダの能力および制約データベース、８０  ストックライブラリビュー、８２  ストック設定ダイアログスクリーン、９０  用紙カタログ属性、９６  機械制御ソフトウェア、９８  フィーダ制御ソフトウェア、１００  フィーダパラメータ、１０２  フィーダコントロールボード、１２０  ストック設定ダイアログスクリーン、１２２  エキスパートフィーダコントロールセクション、１２４  手動モード操作子、１２６  オートモード操作子、１３０  コントロールパネル、１４０，１４２  インジケータ。
【図１】
0004805583.tif 000003
【図２】
0004805583.tif 000004
【図３】
0004805583.tif 000005
【図４】
0004805583.tif 000006
【図５】
0004805583.tif 000007
【図６】
0004805583.tif 000008
【図７】
0004805583.tif 000009
【図８】
0004805583.tif 000010